【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
複数のシートを支持するシート支持手段と、
前記シート支持手段の所定位置にシートを位置決めする位置規制手段と、
前記シート支持手段上のシートを綴じ処理するために、前記シートを表裏方向から挟圧する一対の加圧面から成る加圧部材と、
前記一対の加圧面のうち少なくとも一方を前記シートから離間した待機位置と、前記シートを所定の加圧力で挟圧して綴じ処理する作動位置の間で移動させる駆動手段と、
前記シートを綴じ処理する際に、前記作動位置における前記加圧面と前記シートを相対的に移動し、前記加圧面が前記シートを挟圧する面積を変更する位置移動手段と、
前記加圧面が前記シートを挟圧する面積が前記位置移動手段により変更されるのに応じて、前記加圧力を変更するべく前記駆動手段を制御する制御手段を備えたシート綴じ処理装置。
【請求項２】
前記加圧面には、凸形状と凹形状の複数の歯形が形成されていることを特徴とする請求項１に記載のシート綴じ処理装置。
【請求項３】
前記加圧面が前記シートの少なくとも１つの縁辺を挟んで前記シートの内側と外側に跨がって前記シートを挟圧する第１の位置と、前記加圧面全体が前記シートの縁辺の内側で前記シートを挟圧し、前記第１の位置よりも前記加圧面が前記シートを挟圧する面積が広い第２の位置を実現すべく、前記位置移動手段は、前記作動位置における前記加圧面と前記シートとを相対的に移動する請求項１に記載のシート綴じ処理装置。
【請求項４】
前記制御手段は、前記シートを挟圧する際の単位面積当たりの前記加圧力を、前記第１の位置と前記第２の位置で一定にするべく、前記駆動手段を制御する請求項３に記載のシート綴じ処理装置。
【請求項５】
前記制御手段は、前記第２の位置で前記シートを挟圧する際の前記加圧力を、前記第１の位置で前記シートを挟圧する際の前記加圧力よりも強くするべく、前記駆動手段を制御する請求項３に記載のシート綴じ処理装置。
【請求項６】
前記位置規制手段は、
前記シート支持手段に支持される前記シートの対向する２つの縁辺を位置規制する側縁整合部材と、
前記２つの縁辺と隣り合う縁辺のうちの少なくとも１つの縁辺を位置規制するシート端規制部材と、
を備え、
前記位置移動手段は、前記側縁整合部材と前記シート端規制部材のうち少なくとも一方を移動させて前記加圧面に対して前記シートを移動することにより、加圧面が前記シートを挟圧する面積を変更する請求項１に記載のシート綴じ処理装置。
【請求項７】
前記位置規制手段は、
前記シート支持手段に支持される前記シートの隣り合う２つの縁辺の一方の縁辺を位置規制する第一規制部材と、
前記隣り合う２つの縁辺の他方の縁辺を位置規制する第二規制部材と、
を備え、
前記位置移動手段は、
前記第一規制部材と前記第二規制部材のうち少なくとも一方を移動させて前記加圧面に対して前記シートを移動することにより、前記加圧面が前記シートを挟圧する面積を変更する請求項1に記載のシート綴じ処理装置。
【請求項８】
前記位置移動手段は、
前記加圧部材を、前記シート支持手段上に支持される前記シートの少なくとも１つの縁辺と交差する方向に移動する移動部を備え、
前記位置移動手段は、
前記移動部が前記シートに対して前記加圧部材を移動することにより、前記加圧部材の前記加圧面が前記シートを挟圧する面積を変更する請求項１に記載のシート綴じ処理装置。
【請求項９】
前記加圧面が前記シートの少なくとも１つの縁辺を挟んで前記シートの内側と外側に跨がって前記シートを挟圧する第１の位置と、前記加圧面が前記シートの少なくとも１つの縁辺を挟んで前記シートの内側と外側に跨がって前記シートを挟圧し、前記第１の位置よりも前記加圧面が前記シートを挟圧する面積が広い第３の位置を実現すべく、前記位置移動手段は、前記作動位置における前記加圧面と前記シートとを相対的に移動する請求項１に記載のシート綴じ処理装置。
【請求項１０】
前記制御手段は、
前記シートを挟圧する際の単位面積当たりの前記加圧力を、第１の位置と前記第３の位置で一定にするべく、前記駆動手段を制御する請求項９に記載のシート綴じ処理装置。
【請求項１１】
前記制御手段は、
前記第３の位置で前記シートを挟圧する際の前記加圧力を、記第１の位置で前記シートを挟圧する際の前記加圧力もよりも強くするべく、前記駆動手段を制御する請求項９に記載のシート綴じ処理装置。
【請求項１２】
順次シートを積載収納する処理トレイと、
前記処理トレイに配置されたシート綴じ処理ユニットと、
前記処理トレイから搬出されたシートを収納するスタックトレイと、
を備え、
前記シート綴じ処理ユニットは請求項１から１１に記載のシート綴じ処理装置であることを特徴とする後処理装置。
【手続補正２】
【補正対象書類名】明細書
【補正対象項目名】０００６
【補正方法】変更
【補正の内容】
【０００６】
【特許文献１】特許第５２５３４５３号公報
【特許文献２】特開２０１４−０７３６８１号公報
【手続補正３】
【補正対象書類名】明細書
【補正対象項目名】００３０
【補正方法】変更
【補正の内容】
【００３０】
処理トレイ２４にはシートを搬入する搬入手段３７と、搬入されたシートを所定の後処理位置（綴じ位置）、第１実施形態ではＳｐ１とＳｐ２の間、第２実施形態ではＣｐ１とＣｐ２の間、第３実施形態ではＰに位置決めする位置規制手段（後述のシート端規制部材２６と側縁整合部材２７）が配置されている。処理トレイ２４にはシート束を綴じ処理するシート綴じ装置（圧着綴じ手段４９）が配置されている。この圧着綴じ手段４９の構成については後述する。図示の処理トレイ２４には圧着綴じ手段４９と共にシートを綴じ処理するステープル綴じ手段３８が配置され、トレイ上に集積されたシートを指定された手段で圧着綴じ又はステープル綴じする。
【手続補正４】
【補正対象書類名】明細書
【補正対象項目名】００３８
【補正方法】変更
【補正の内容】
【００３８】
上記シート端規制部材２６は処理トレイ２４に対して固定、若しくは位置移動可能に配置する。後述する第２、第３実施形態ではシート端規制部材２６を処理トレイに固定して配置し、第１実施形態では処理トレイ２４に位置移動可能に取付けられたシート端規制部材２６によって処理トレイ上に搬入されたシートを第１の基準位置Ｓｐ１と第２の基準位置Ｓｐ２の間に位置決めする。そして第２実施形態では処理トレイ２４に位置移動可能に取付けられた側縁整合部材２７によって処理トレイ上に搬入されたシートを第１の基準位置Ｃｐ１と第２の基準位置Ｃｐ２の間に位置決めする。第３実施形態では処理トレイ上に搬入されたシートは所定の綴じ処理位置Ｐに位置決めする。第１実施形態では処理トレイ上に搬入されたシートを第１の基準位置Ｓｐ１と第２の基準位置Ｓｐ２の間で、オペレータの指示、或いはシートサイズなどの条件でいずれかの位置に決定する。
【手続補正５】
【補正対象書類名】明細書
【補正対象項目名】００４０
【補正方法】変更
【補正の内容】
【００４０】
この左右一対の整合板２７ａ、２７ｂの動作は、シートサイズに応じて設定された待機位置からシートサイズと一致する作動位置との間で往復動する。このための左右一対の整合板２７ａ、２７ｂには、ポジションセンサと、移動量制御手段が設けられ、ホームポジションセンサの検出信号を基準に整合モータＭ１の回転量を制御することによって位置制御するようになっている。
【手続補正６】
【補正対象書類名】明細書
【補正対象項目名】００４２
【補正方法】変更
【補正の内容】
【００４２】
そこで、シートセンタを基準に側縁整合する場合には、シートサイズ情報に基づいて左右の整合モータＭ１を回転してホームポジションＨＰに移動したのちに左右一対の整合板（側縁整合部材）２７を待機位置Ｗｐに移動する。この待機位置Ｗｐは、シートの幅サイズより大きい間隔に設定し、処理トレイ上にシートが搬入したタイミングで左右一対の整合板２７ａ、２７ｂを待機位置Ｗｐから整合位置Ａｐに位置移動する。すると処理トレイ上に搬入されたシートはシートセンタが基準位置Ｓｐに一致するように整合される。
【手続補正７】
【補正対象書類名】明細書
【補正対象項目名】００４３
【補正方法】変更
【補正の内容】
【００４３】
このような構成において、後述する第２実施形態では側縁整合部材２７の整合基準を第１、第２の異なる位置Ｃｐ１，Ｃｐ２に設定可能に制御する。そして各シートサイズについて位置決め基準を第１の基準位置Ｃｐ１にするか第２の基準位置Ｃｐ２にするか設定（選定）可能にしている。また後述するその他の（第１、第３）実施形態では各シートサイズについて側縁整合部材２７で規制される位置決め基準は予め（一定値に）設定されている。なお、この側縁整合部材２７の構成については図７に従って後述する。
【手続補正８】
【補正対象書類名】明細書
【補正対象項目名】００７０
【補正方法】変更
【補正の内容】
【００７０】
このため、処理トレイ２４（シート支持手段）上にシートを位置決めする位置規制手段２６，２７を強度結束する第１基準Ｓｐ１、Ｃｐ１と、弱度結束する第２基準Ｓｐ２、Ｃｐ２との間で２段階若しくはそれ以上複数段階に位置移動可能に構成する。後述する第１実施形態はシート端規制部材２６による位置決め基準を第１、第２選択して設定可能に構成する場合を示している。また第２実施形態は、側縁整合部材２７による位置決め基準を第１、第２選択して設定可能に構成する場合を示している。
【手続補正９】
【補正対象書類名】明細書
【補正対象項目名】００７１
【補正方法】変更
【補正の内容】
【００７１】
［第１実施形態］
図６に従って第１実施形態について説明する。前述の後処理装置Ｂには処理トレイ２４にシートを集積するとき、所定の処理位置（綴じ位置）Ｓｐ１、Ｓｐ２にシートを位置決めするための位置決め基準（Ｓｐ）が設けられ、この基準に位置決めされたシートに綴じ処理を施すように綴じ処理手段４９が配置されている。
【手続補正１０】
【補正対象書類名】明細書
【補正対象項目名】００７２
【補正方法】変更
【補正の内容】
【００７２】
図示の第１実施形態は、上記位置決め基準Ｓｐをシート端規制部材２６のシート規制位置を基準１（Ｓｐ１）と基準２（Ｓｐ２）の間で選択可能に構成する。このため、同図（ｄ）に示すように、シート端規制部材（突き当てストッパ）２６は、処理トレイ２４の底部にシート搬入方向（同図（ａ）上下方向）に移動可能（スライド可能）に支持されている。このシート端規制部材２６にはシフトモータＳＭと、伝動機構（ラックアンドピニオン）５５で規制部材のシート規制面２６ｘを基準１（Ｓｐ１）と基準２（Ｓｐ２）の間で位置移動可能に構成されている。
【手続補正１１】
【補正対象書類名】明細書
【補正対象項目名】００７３
【補正方法】変更
【補正の内容】
【００７３】
上記シート端規制部材２６はシート幅方向に複数個所、所定間隔、で配置されているが、その個所と間隔は適宜に設定する。そして上記シフトモータＳＭの回転量を制御することによってシート端規制部材２６は第１基準Ｓｐ１と第２基準Ｓｐ２のいずれか一方に位置決めされる。図６（ａ）は第１基準Ｓｐ１に位置決めされたシートと綴じ処理手段４９との位置関係と、第２基準Ｓｐ２に位置決めされたシートと綴じ処理手段４９との位置関係を示している。
【手続補正１２】
【補正対象書類名】明細書
【補正対象項目名】００７７
【補正方法】変更
【補正の内容】
【００７７】
［第２実施形態］
図７に示す第２実施形態について説明する。同図のものは、処理トレイ２４にシートを位置決めする規制手段を、『左右一対の側縁整合部材２７を第１基準Ｃｐ１と第２基準Ｃｐ２の間で位置移動可能とする』場合を示している。
【手続補正１３】
【補正対象書類名】明細書
【補正対象項目名】００７８
【補正方法】変更
【補正の内容】
【００７８】
図示するセンタ基準でシートを処理位置に位置決めする場合について説明する。処理トレイ２４には左右一対の側縁整合部材２７が幅方向に移動可能に支持されている。図示のものは処理トレイ２４の底面に配置されたガイド溝（不図示）に左右一対の整合板２７ａ、２７ｂがスライド可能に嵌合されている。左右一対の整合板２７ａ、２７ｂには整合モータＭ１（図示のものは左右一対の駆動モータ）と、伝動機構５６（ラック＆ピニオン機構、ベルト＆プーリ機構、連動レバー機構など）が配置されている。
【手続補正１４】
【補正対象書類名】明細書
【補正対象項目名】００７９
【補正方法】変更
【補正の内容】
【００７９】
このような構成において、制御手段５０は、左右の整合モータＭ１を回転して、左右一対の側縁整合部材２７をホームポジションＨｐから待機位置Ｗｐに移動し、シートがトレイ上に搬入された後に待機位置Ｗｐから整合位置Ａｐに移動する。この側縁整合部材２７の往復運動（整合動作）でシートはトレイ上の基準位置に整合される。このとき制御手段５０は左右一対の整合板２７ａ、２７ｂを第１基準Ｃｐ１を中心に整合動作するか、第２基準Ｃｐ２を基準に整合動作する。
【手続補正１５】
【補正対象書類名】明細書
【補正対象項目名】００８２
【補正方法】変更
【補正の内容】
【００８２】
［第３実施形態］
図８に示す実施形態について説明する。処理トレイ２４には、シートの端縁を規制するシート端規制部材２６と、シート側縁を規制する側縁整合部材２７が配置され、各位置規制手段２６，２７は、規制動作の基準位置を位置調整することなく所定の位置に固定されている。
【手続補正１６】
【補正対象書類名】明細書
【補正対象項目名】００８４
【補正方法】変更
【補正の内容】
【００８４】
上記第１基準Ｄｐ１と第２基準Ｄｐ２の設定位置は、所定の処理位置（綴じ位置）Ｐに位置決めされたシートに対し、加圧面３１，４１が第１基準Ｄｐ１ではシート縁辺の内側に、第２基準Ｄｐ２ではシート縁辺の外側と内側に跨って（ブリッジして）位置するように間隔（δｘ）（δｙ）が設定されている。この間隔はシートサイズに応じて異なる値（間隔）に設定するか、サイズに関わりなく一定の値に設定する。通常この間隔は、数ｍｍから数十ｍｍの範囲で設定する。
【手続補正１７】
【補正対象書類名】明細書
【補正対象項目名】００９０
【補正方法】変更
【補正の内容】
【００９０】
［綴じ処理動作］
図１０に示す後処理動作の制御フローについて説明する。装置電源がＯＮすると、制御手段５０はイニシャライズ動作を実行する（Ｓｔ０１）。この動作で制御手段５０は加圧部材３０，４０を待機位置Ｗｐに位置決めし、（１）第１実施形態ではシート端規制部材２６をホームポジションＨｐから所定の後処理位置（第１基準；Ｓｐ１）に移動する。このホームポジション位置はホームポジションセンサで検出する。（２）第２実施形態では、側縁整合部材２７をホームポジションＨｐから所定の後処理位置（第１基準；Ｃｐ１）に移動する。また、（３）第３施形態では綴じ処理手段４９をホームポジション（第１基準；Ｄｐ１）に移動する。
【手続補正１８】
【補正対象書類名】明細書
【補正対象項目名】００９３
【補正方法】変更
【補正の内容】
【００９３】
上記判別で「弱結束」指定のときには、制御手段５０はシート端規制部材２６を第２基準Ｓｐ２に移動する（Ｓｔ０９）。そして上流側の画像形成装置Ａで画像形成（Ｓｔ０７）し、後処理装置Ｂはそのシートを搬送経路２２に搬入する。このシートは搬送経路２２から下流側の処理トレイ２４に搬入される（Ｓｔ０８）。
【手続補正１９】
【補正対象書類名】明細書
【補正対象項目名】００９４
【補正方法】変更
【補正の内容】
【００９４】
このように搬送経路２２から送られ、処理トレイ上に第１基準又は第２基準で位置決めされたシートは、側縁整合部材２７で幅方向姿勢を所定の基準内に位置するように整合される（Ｓｔ１０）。そこで制御手段５０は画像形成装置から画像形成のジョブエンド信号を受信する（Ｓｔ１１）。すると制御手段５０は綴じ処理手段４９に、綴じ動作指示信号を発信し、これを受けて綴じ処理手段４９は綴じ処理動作を実行する（Ｓｔ１２）。次いで、制御手段５０は綴じ処理されたシート束を処理トレイ２４から下流側のスタックトレイ２５に搬送して収納する（Ｓｔ１３）。
【手続補正２０】
【補正対象書類名】図面
【補正対象項目名】図３
【補正方法】変更
【補正の内容】
【図３】
2016003118.tif 000001
【手続補正２１】
【補正対象書類名】図面
【補正対象項目名】図６
【補正方法】変更
【補正の内容】
【図６】
2016003118.tif 000002
【手続補正２２】
【補正対象書類名】図面
【補正対象項目名】図７
【補正方法】変更
【補正の内容】
【図７】
2016003118.tif 000003
【手続補正２３】
【補正対象書類名】図面
【補正対象項目名】図８
【補正方法】変更
【補正の内容】
【図８】
2016003118.tif 000004